(57)【要約】【課題】１つのＧＰＳアンテナがケーブルを介して装置本体部と接続される携帯可能なナビゲーション装置及び電子機器において、携帯して使用する際に、装置本体部とＧＰＳアンテナとを連結するケーブルが邪魔にならないようにする。【解決手段】現在位置を測位して表示部４４に表示する携帯可能なナビゲーション装置１において、表示部４４が配置された装置本体部４と、装置本体部４に着脱自在に一体化され、ＧＰＳ衛星から送信されるＧＰＳ信号を受信するＧＰＳアンテナ部２と、を備え、ＧＰＳアンテナ部２は、ＧＰＳ信号を装置本体部４側に出力する出力端子２２を備え、装置本体部４は、出力端子２２とケーブルＣを介して接続し、出力端子２２により出力されたＧＰＳ信号が入力される第１入力端子４１と、装置本体部４とＧＰＳアンテナ部２とが一体化される際に、ケーブルＣをナビゲーション装置１に収容する収容部４ｃを備えるよう構成した。【選択図】図１
2008224603.tif 000002
【特許請求の範囲】
【請求項１】
現在位置を測位して表示部に表示する携帯可能なナビゲーション装置において、
前記表示部が配置された装置本体部と、
前記装置本体部に着脱自在に一体化され、ＧＰＳ衛星から送信されるＧＰＳ信号を受信するＧＰＳアンテナ部と、を備え、
前記ＧＰＳアンテナ部は、
前記ＧＰＳ信号を前記装置本体部側に出力する出力端子を備え、
前記装置本体部は、
前記出力端子とケーブルを介して接続し、当該出力端子により出力されたＧＰＳ信号が入力される第１入力端子と、
当該装置本体部と前記ＧＰＳアンテナ部とが一体化されている際に前記出力端子と接触し、当該出力端子により出力されたＧＰＳ信号が入力される第２入力端子と、
前記出力端子と前記第２入力端子とが接触していない場合には、前記第１入力端子に切り替えるとともに、前記出力端子と前記第２入力端子とが接触している場合には、前記第２入力端子に切り替える切替手段と、
前記切替手段により前記第１入力端子に切り替えられると、当該第１入力端子により入力されたＧＰＳ信号に基づいて前記現在位置を測位し、前記切替手段により前記第２入力端子に切り替えられると、当該第２入力端子により入力されたＧＰＳ信号に基づいて前記現在位置を測位する測位手段と、を備え、
前記装置本体部と前記ＧＰＳアンテナ部とが一体化される際に、前記ケーブルを当該ナビゲーション装置に収容する収容部と、
前記装置本体部と前記ＧＰＳアンテナ部とが一体化される際に、前記ケーブルを前記収容部内に巻き取る巻取手段と、を備えることを特徴とするナビゲーション装置。
【請求項２】
現在位置を測位して表示部に表示する携帯可能な電子機器において、
前記表示部が配置された装置本体部と、
前記装置本体部に着脱自在に一体化され、ＧＰＳ衛星から送信されるＧＰＳ信号を受信するＧＰＳアンテナ部と、を備え、
前記ＧＰＳアンテナ部は、
前記ＧＰＳ信号を前記装置本体部側に出力する出力端子を備え、
前記装置本体部は、
前記出力端子とケーブルを介して接続し、当該出力端子により出力されたＧＰＳ信号が入力される入力端子と、
前記入力端子により入力されたＧＰＳ信号に基づいて前記現在位置を測位する測位手段と、を備え、
前記装置本体部と前記ＧＰＳアンテナ部とが一体化される際に、前記ケーブルを当該電子機器に収容する収容部を備えることを特徴とする電子機器。
【請求項３】
請求項２に記載の電子機器において、
前記装置本体部と前記ＧＰＳアンテナ部とが一体化される際に、前記ケーブルを前記収容部内に巻き取る巻取手段を備えることを特徴とする電子機器。
【請求項４】
請求項２又は３に記載の電子機器において、
前記装置本体部は、
当該装置本体部と前記ＧＰＳアンテナ部とが一体化されている際に前記出力端子と接触し、当該出力端子により出力されたＧＰＳ信号が入力される第２入力端子と、
前記出力端子と前記第２入力端子とが接触していない場合には、前記入力端子に切り替えるとともに、前記出力端子と前記第２入力端子とが接触している場合には、前記第２入力端子に切り替える切替手段と、を備え、
前記測位手段は、前記切替手段により前記入力端子に切り替えられると、当該入力端子により入力されたＧＰＳ信号に基づいて前記現在位置を測位し、前記切替手段により前記第２入力端子に切り替えられると、当該第２入力端子により入力されたＧＰＳ信号に基づいて前記現在位置を測位することを特徴とする電子機器。
【発明の詳細な説明】
【技術分野】
【０００１】
本発明は、ナビゲーション装置及び電子機器に関する。
【背景技術】
【０００２】
従来、ＧＰＳ（Global Positioning System：全地球測位システム）を利用して現在位置を測位し、その測位した現在位置を地図情報とともに表示画面上に表示するナビゲーション装置が知られている。
【０００３】
ところで、ナビゲーション装置には、そのナビゲーション装置が取り付けられた移動体の現在位置を測位できるとともに、そのナビゲーション装置を携帯するユーザの現在位置を測位できるものがある。具体的には、例えば、移動体に搭載して使用する際にはその移動体に取り付けられた外部ＧＰＳアンテナに接続可能であるとともに、ユーザがナビゲーション装置を携帯して使用する際にユーザの現在位置を測位するための内部ＧＰＳアンテナを備えるナビゲーション装置（例えば、特許文献１〜３参照）や、ナビゲーション装置本体と、ＧＰＳアンテナと、がケーブルを介して接続されており、移動体に搭載して使用する際にはＧＰＳアンテナをダッシュボード等に取り付け、携帯して使用する際にはＧＰＳアンテナをナビゲーション装置本体に取り付けることができるナビゲーション装置（例えば、特許文献４参照）などがある。
【特許文献１】特開２００５−６２１８５号公報
【特許文献２】特開２００２−１９６０６５号公報
【特許文献３】特開平１０−３８９９５号公報
【特許文献４】特開平１０−３１８７６３号公報
【発明の開示】
【発明が解決しようとする課題】
【０００４】
しかしながら、特許文献１〜３に記載のナビゲーション装置は、移動体に搭載して使用する際に利用するＧＰＳアンテナと、携帯して使用する際に利用するＧＰＳアンテナと、の２つのＧＰＳアンテナが必要であるため、効率が悪いという問題がある。
また、特許文献４に記載のナビゲーション装置は、携帯して使用する際に、ナビゲーション装置本体とＧＰＳアンテナとを連結するケーブルが邪魔であるという問題がある。
【０００５】
本発明の課題は、１つのＧＰＳアンテナがケーブルを介して装置本体部と接続される携帯可能なナビゲーション装置及び電子機器において、携帯して使用する際に、装置本体部とＧＰＳアンテナとを連結するケーブルが邪魔にならないようにすることにある。
【課題を解決するための手段】
【０００６】
上記課題を解決するために、請求項１に記載の発明は、
現在位置を測位して表示部に表示する携帯可能なナビゲーション装置において、
前記表示部が配置された装置本体部と、
前記装置本体部に着脱自在に一体化され、ＧＰＳ衛星から送信されるＧＰＳ信号を受信するＧＰＳアンテナ部と、を備え、
前記ＧＰＳアンテナ部は、
前記ＧＰＳ信号を前記装置本体部側に出力する出力端子を備え、
前記装置本体部は、
前記出力端子とケーブルを介して接続し、当該出力端子により出力されたＧＰＳ信号が入力される第１入力端子と、
当該装置本体部と前記ＧＰＳアンテナ部とが一体化されている際に前記出力端子と接触し、当該出力端子により出力されたＧＰＳ信号が入力される第２入力端子と、
前記出力端子と前記第２入力端子とが接触していない場合には、前記第１入力端子に切り替えるとともに、前記出力端子と前記第２入力端子とが接触している場合には、前記第２入力端子に切り替える切替手段と、
前記切替手段により前記第１入力端子に切り替えられると、当該第１入力端子により入力されたＧＰＳ信号に基づいて前記現在位置を測位し、前記切替手段により前記第２入力端子に切り替えられると、当該第２入力端子により入力されたＧＰＳ信号に基づいて前記現在位置を測位する測位手段と、を備え、
前記装置本体部と前記ＧＰＳアンテナ部とが一体化される際に、前記ケーブルを当該ナビゲーション装置に収容する収容部と、
前記装置本体部と前記ＧＰＳアンテナ部とが一体化される際に、前記ケーブルを前記収容部内に巻き取る巻取手段と、を備えることを特徴とする。
【０００７】
請求項２に記載の発明は、
現在位置を測位して表示部に表示する携帯可能な電子機器において、
前記表示部が配置された装置本体部と、
前記装置本体部に着脱自在に一体化され、ＧＰＳ衛星から送信されるＧＰＳ信号を受信するＧＰＳアンテナ部と、を備え、
前記ＧＰＳアンテナ部は、
前記ＧＰＳ信号を前記装置本体部側に出力する出力端子を備え、
前記装置本体部は、
前記出力端子とケーブルを介して接続し、当該出力端子により出力されたＧＰＳ信号が入力される入力端子と、
前記入力端子により入力されたＧＰＳ信号に基づいて前記現在位置を測位する測位手段と、を備え、
前記装置本体部と前記ＧＰＳアンテナ部とが一体化される際に、前記ケーブルを当該電子機器に収容する収容部を備えることを特徴とする。
【０００８】
請求項３に記載の発明は、
請求項２に記載の電子機器において、
前記装置本体部と前記ＧＰＳアンテナ部とが一体化される際に、前記ケーブルを前記収容部内に巻き取る巻取手段を備えることを特徴とする。
【０００９】
請求項４に記載の発明は、
請求項２又は３に記載の電子機器において、
前記装置本体部は、
当該装置本体部と前記ＧＰＳアンテナ部とが一体化されている際に前記出力端子と接触し、当該出力端子により出力されたＧＰＳ信号が入力される第２入力端子と、
前記出力端子と前記第２入力端子とが接触していない場合には、前記入力端子に切り替えるとともに、前記出力端子と前記第２入力端子とが接触している場合には、前記第２入力端子に切り替える切替手段と、を備え、
前記測位手段は、前記切替手段により前記入力端子に切り替えられると、当該入力端子により入力されたＧＰＳ信号に基づいて前記現在位置を測位し、前記切替手段により前記第２入力端子に切り替えられると、当該第２入力端子により入力されたＧＰＳ信号に基づいて前記現在位置を測位することを特徴とする。
【発明の効果】
【００１０】
請求項１に記載の発明によれば、装置本体部とＧＰＳアンテナ部とは着脱自在に一体化されており、装置本体部とＧＰＳアンテナ部とが一体化される際に、ＧＰＳアンテナ部の出力端子と装置本体部の第１入力端子とを接続するケーブルを当該ナビゲーション装置に収容する収容部を備えている。
したがって、１つのＧＰＳアンテナがケーブルを介して装置本体部と接続される携帯可能なナビゲーション装置において、装置本体部とＧＰＳアンテナとを一体化する際に、すなわち、当該ナビゲーション装置を携帯して使用する際に、装置本体部とＧＰＳアンテナとを連結するケーブルが邪魔にならないようにすることができる。
【００１１】
また、ケーブルを収容部内に巻き取る巻取手段を備えている。
したがって、装置本体部とＧＰＳアンテナ部とを一体化する際、手動でケーブルを収容部に収容する必要がないため、使い勝手がよい。
【００１２】
また、装置本体部は、装置本体部とＧＰＳアンテナ部とが一体化されている際に出力端子と接触する第２入力端子を備え、そして、測位手段は、出力端子と第２入力端子とが接触している場合には、当該第２入力端子により入力されたＧＰＳ信号に基づいて現在位置を測位することができる。
したがって、装置本体部とＧＰＳアンテナ部とが一体化されている際には、ＧＰＳ信号がケーブル及び第１入力端子を介してではなく、第２入力端子を介して直接装置本体部側に入力されるため、ケーブルを使用することにより生じる、ＧＰＳ信号がＧＰＳアンテナ部により出力されてから装置本体部に入力されるまでの所要時間に基づく誤差を抑えることができることとなって、より正確な現在位置を測位することができる。
【００１３】
請求項２に記載の発明によれば、装置本体部とＧＰＳアンテナ部とは着脱自在に一体化されており、装置本体部とＧＰＳアンテナ部とが一体化される際に、ＧＰＳアンテナ部の出力端子と装置本体部の入力端子とを接続するケーブルを当該電子機器に収容する収容部を備えている。
したがって、１つのＧＰＳアンテナがケーブルを介して装置本体部と接続される携帯可能な電子機器において、装置本体部とＧＰＳアンテナとを一体化する際に、すなわち、当該電子機器を携帯して使用する際に、装置本体部とＧＰＳアンテナとを連結するケーブルが邪魔にならないようにすることができる。
【００１４】
請求項３に記載の発明によれば、請求項２に記載の発明と同様の効果が得られることは無論のこと、ケーブルを収容部内に巻き取る巻取手段を備えている。
したがって、装置本体部とＧＰＳアンテナ部とを一体化する際、手動でケーブルを収容部に収容する必要がないため、使い勝手がよい。
【００１５】
請求項４に記載の発明によれば、請求項２又は３に記載の発明と同様の効果が得られることは無論のこと、装置本体部は、装置本体部とＧＰＳアンテナ部とが一体化されている際に出力端子と接触する第２入力端子を備え、そして、測位手段は、出力端子と第２入力端子とが接触している場合には、当該第２入力端子により入力されたＧＰＳ信号に基づいて現在位置を測位することができる。
したがって、装置本体部とＧＰＳアンテナ部とが一体化されている際には、ＧＰＳ信号がケーブル及び入力端子を介してではなく、第２入力端子を介して直接装置本体部側に入力されるため、ケーブルを使用することにより生じる、ＧＰＳ信号がＧＰＳアンテナ部により出力されてから装置本体部に入力されるまでの所要時間に基づく誤差を抑えることができることとなって、より正確な現在位置を測位することができる。
【発明を実施するための最良の形態】
【００１６】
以下、図を参照して、本発明を実施するための最良の形態を詳細に説明する。なお、発明の範囲は図示例に限定されない。
【００１７】
＜ナビゲーション装置の構成＞
まず、ナビゲーション装置１の構成について、図１及び図２を参照して説明する。
図１（ａ）は本発明にかかるナビゲーション装置１において、装置本体部４とＧＰＳアンテナ部２とが一体になった状態の正面図を示し、図１（ｂ）は本発明にかかるナビゲーション装置１において、装置本体部４とＧＰＳアンテナ部２とが別体になった状態の正面図を示し、図２は本発明にかかるナビゲーション装置１の機能的構成を示す。
ここで、ナビゲーション装置１の高さ方向を上下方向とし、ナビゲーション装置１の幅方向を左右方向とし、ナビゲーション装置１の奥行き方向を前後方向とする。
【００１８】
ナビゲーション装置１は、ＧＰＳを利用して現在位置を測位し、その測位した現在位置を走行案内表示等とともに、表示部４４の表示画面上の地図に表示する電子機器である。
【００１９】
ナビゲーション装置１は、例えば、移動体に搭載可能に構成されるとともに、携帯可能に構成されており、例えば、図１に示すように、装置本体部４と、ケーブルＣを介して装置本体部４と連結されるとともに装置本体部４に着脱自在に一体化されたＧＰＳアンテナ部２と、などを備えて構成されている。
ナビゲーション装置１によれば、ユーザは、例えば、ナビゲーション装置１を移動体（例えば、車両）に搭載して使用する場合、装置本体部４とＧＰＳアンテナ部２とを別体にして、ＧＰＳアンテナ部２をダッシュボード等に取り付けて使用することができるとともに、例えば、ナビゲーション装置１を携帯して使用する場合、装置本体部４とＧＰＳアンテナ部２とを一体にして使用することができる。
【００２０】
例えば、図１に示すように、ＧＰＳアンテナ部２の筐体の下面における左右両端には、下方向に突出する凸部２ａ，２ａが設けられており、装置本体部４の筐体の上面における左右両端には、下方向に陥没する凹部４ａ，４ａが設けられている。
ＧＰＳアンテナ部２の凸部２ａと、装置本体部４の凹部４ａとは、ＧＰＳアンテナ部２と装置本体部４とが一体化される際に互いに係合されるよう構成されており、凸部２ａと凹部４ａとが互いに係合することによって、ＧＰＳアンテナ部２と装置本体部４とは着脱自在に一体化されている。
【００２１】
（ＧＰＳアンテナ部）
ＧＰＳアンテナ部２は、例えば、図１及び図２に示すように、ＧＰＳアンテナ２１と、出力端子２２と、などを備えて構成される。
【００２２】
ＧＰＳアンテナ２１は、例えば、ＧＰＳ衛星から送信されるＧＰＳ信号を受信して、出力端子２２に出力する。
【００２３】
出力端子２２は、例えば、ＧＰＳアンテナ２１から入力されたＧＰＳ信号を装置本体部４の第１入力端子４１に出力することによって、ＧＰＳアンテナ２１により受信されたＧＰＳ信号を装置本体部４側に出力する。
【００２４】
また、出力端子２２は、例えば、出力端子２２が装置本体部４の第２入力端子４２と接触している場合には、ＧＰＳアンテナ２１から入力されたＧＰＳ信号を第２入力端子４２に出力することによって、ＧＰＳアンテナ２１により受信されたＧＰＳ信号を装置本体部４側に出力する。
【００２５】
（装置本体部）
装置本体部４は、例えば、図１及び図２に示すように、係合部４ｂと、収容部４ｃと、回転軸４ｄと、巻取部４ｅと、第１入力端子（入力端子）４１と、第２入力端子４２と、切替部４３と、表示部４４と、操作部４５と、制御部４６と、などを備えて構成される。
【００２６】
係合部４ｂは、例えば、図１に示すように、装置本体部４の筐体の上面における、装置本体部４とＧＰＳアンテナ部２とが一体化される際にＧＰＳアンテナ部２の出力端子２２と係合可能な位置に設けられている。
【００２７】
収容部４ｃは、例えば、装置本体部４とＧＰＳアンテナ部２とが一体化される際に、ケーブルＣをナビゲーション装置１に収容するためのものである。
具体的には、収容部４ｃは、例えば、図１に示すように、装置本体部４の筐体の内部に設けられており、ケーブルＣが貫通可能な貫通孔等によって係合部４ｄと通じている。
【００２８】
回転軸４ｄは、例えば、図１に示すように、収容部４ｃ内に配置されており、一端部が巻取部４ｅに連結されるとともに、他端部が第１入力端子４１と連結され、そして、ケーブルＣが固定されている。
【００２９】
巻取部４ｅは、例えば、巻取手段として、装置本体部４とＧＰＳアンテナ部２とが一体化される際に、ケーブルＣを収容部４ｃ内に巻き取るためのものである。
具体的には、巻取部４ｅは、例えば、図１に示すように、装置本体部４の筐体の内部に設けられており、例えば、回転軸ｅと連結され、回転軸ｅに固定されたケーブルＣが巻取方向（例えば、図１（ｂ）参照）とは逆の方向に引っ張られると巻取方向に付勢力が働くぜんまいばねと、ストッパと、などから構成されている。巻取部４ｅは、例えば、ケーブルＣが巻取方向とは逆の方向に引っ張られると、ケーブルＣを収容部４ｃ内から巻き出してストッパによりその状態を維持し、そして、再度ケーブルＣが巻取方向とは逆の方向に引っ張られることによってストッパが解除されると、ぜんまいばねに働いている付勢力によってケーブルＣを収容部４ｃ内に巻き取るようになっている。
【００３０】
第１入力端子４１は、例えば、回転軸４ｄを介してケーブルＣと連結しており、ＧＰＳアンテナ部２の出力端子２２とケーブルＣを介して接続している。第１入力端子４１は、例えば、ケーブルＣを介して出力端子２２により出力されたＧＰＳ信号が入力されると、切替部４３に出力するようになっている。
【００３１】
第２入力端子４２は、例えば、装置本体部４とＧＰＳアンテナ部２とが一体化されている際に、ＧＰＳアンテナ部２の出力端子２２と接触するようになっており、出力端子２２により出力されたＧＰＳ信号が入力されると、切替部４３に出力するようになっている。
また、第２入力端子４２は、例えば、ＧＰＳアンテナ部２の出力端子２２と接触すると、当該接触信号を制御部４６に出力する。
【００３２】
切替部４３は、例えば、制御部４６から入力される制御信号に従って、例えば、切替手段として、出力端子２２と第２入力端子４２とが接触していない場合には、第１入力端子４１に切り替えるとともに、出力端子２２と第２入力端子４２とが接触している場合には、第２入力端子４２に切り替える。
【００３３】
表示部４４は、例えば、図１に示すように、装置本体部４の前面略中央に配置されている。
具体的には、表示部４４は、例えば、液晶表示機器等から構成され、制御部４６から入力される制御信号に従って、所与の表示処理を行う。
【００３４】
操作部４５は、例えば、図１に示すように、装置本体部４の前面における、表示部４４の表示画面の下方に設けられている。
操作部４５は、例えば、文字／数字キーや各種機能キーなどから構成され、ユーザにより操作されると、当該操作に伴う押下信号を制御部４６に出力する。
なお、操作部４５は、例えば、表示部４４と一体的に構成されたタッチパネル等を備える構成であってもよい。
【００３５】
制御部４６は、例えば、図２に示すように、ＣＰＵ（Central Processing Unit）４６１と、ＲＡＭ（Random Access Memory）４６２と、記憶部４６３と、などを備えている。
【００３６】
ＣＰＵ４６１は、例えば、記憶部４６３に記憶されたナビゲーション装置１用の各種処理プログラムに従って各種の制御動作を行う。
【００３７】
ＲＡＭ４６２は、例えば、ＣＰＵ４６１によって実行される処理プログラムなどを展開するためのプログラム格納領域や、入力データや上記処理プログラムが実行される際に生じる処理結果などを格納するデータ格納領域などを備える。
【００３８】
記憶部４６３は、例えば、ナビゲーション装置１で実行可能なシステムプログラム、当該システムプログラムで実行可能な各種処理プログラム、これら各種処理プログラムを実行する際に使用されるデータ、ＣＰＵ４６１によって演算処理された処理結果のデータなどを記憶する。なお、プログラムは、コンピュータが読み取り可能なプログラムコードの形で記憶部４６３に記憶されている。
【００３９】
具体的には、記憶部４６３は、例えば、図２に示すように、地図情報データベース４６３ａと、切替制御プログラム４６３ｂと、測位プログラム４６３ｃと、表示制御プログラム４６３ｄと、などを記憶している。
【００４０】
地図情報データベース４６３ａは、例えば、所定の地域内（例えば、日本全土）を表現したナビゲーション用の地図に関する地図情報を記憶する。
【００４１】
切替制御プログラム４６３ｂは、例えば、第２入力端子４２から接触信号が入力されたか否かを判定して、出力端子２２と第２入力端子４２とが接触しているか否かを判断する機能を、ＣＰＵ４６１に実現させる。
具体的には、ＣＰＵ４６１は、例えば、第２入力端子４２から接触信号が入力されないために出力端子２２と第２入力端子４２とが接触していないと判断した場合には、切替部４３を制御して第１入力端子４１に切り替えさせるとともに、第２入力端子４２から接触信号が入力されたために出力端子２２と第２入力端子４２とが接触していると判断した場合には、切替部４３を制御して第２入力端子４２に切り替えさせる。
【００４２】
測位プログラム４６３ｃは、例えば、第１入力端子４１又は第２入力端子４２により入力されたＧＰＳ信号に基づいてナビゲーション装置１の絶対的な２次元の現在位置（緯度、経度）或いは３次元の現在位置（緯度、経度、高度）を測位する機能を、ＣＰＵ４６１に実現させる。
【００４３】
具体的には、ＣＰＵ４６１は、例えば、切替制御プログラム４６３ｂを実行したＣＰＵ４６１によって制御された切替部４３により第１入力端子４１に切り替えられると、第１入力端子４１により入力されたＧＰＳ信号に基づいて現在位置を測位し、切替制御プログラム４６３ｂを実行したＣＰＵ４６１によって制御された切替部４３により第２入力端子４２に切り替えられると、第２入力端子４２により入力されたＧＰＳ信号に基づいて現在位置を測位する。
なお、ＣＰＵ４６１は、例えば、切替部４３により第１入力端子４１に切り替えられた場合、ケーブルＣの長さ等を考慮して設定されたＧＰＳ信号が出力端子２２により出力されてから第１入力端子４１により入力されるまでの所要時間に基づいて、測位した現在位置を補正するようにしてもよい。
この場合、ケーブルＣを使用することにより生じる、ＧＰＳ信号がＧＰＳアンテナ部２により出力されてから装置本体部４に入力されるまでの所要時間に基づく誤差を補正することができることとなって、より正確な現在位置を測位することができる。
ＣＰＵ４６１は、かかる測位プログラム４６３ｃを実行することによって、測位手段として機能する。
【００４４】
表示制御プログラム４６３ｄは、例えば、測位プログラム４６３ｃを実行したＣＰＵ４６１により測位された現在位置を、地図情報データベース４６３ａに記憶された地図情報とともに表示部４４に表示させる機能を、ＣＰＵ４６１に実現させる。
さらに、表示制御プログラム４６３ｄは、例えば、ユーザによる操作部４５の操作によって、ユーザ所望の目的地が設定された場合には、現在位置から目的地までの走行案内表示を表示部４４に表示させる機能を、ＣＰＵ４６１に実現させる。
【００４５】
＜測位処理＞
次に、ナビゲーション装置１による現在位置の測位に関する処理について、図３のフローチャートを参照して説明する。
【００４６】
ユーザからの指示に従って、ナビゲーション装置１の電源をＯＮすると（ステップＳ１）、ＣＰＵ４６１は、切替制御プログラム４６３ｂを実行して、出力端子２２と第２入力端子４２とが接触しているか否かを判断する（ステップＳ２）。
【００４７】
ステップＳ２で、出力端子２２と第２入力端子４２とが接触していないと判断すると（ステップＳ２；Ｎｏ）、ＣＰＵ４６１は、第１入力端子４１に切り替わっているか否かを判断する（ステップＳ３）。
【００４８】
ステップＳ３で、第１入力端子４１に切り替わっていると判断すると（ステップＳ３；Ｙｅｓ）、ＣＰＵ４６１は、ステップＳ５の処理に移行する。
【００４９】
一方、ステップＳ３で、第１入力端子４１に切り替わっていないと判断すると（ステップＳ３；Ｎｏ）、ＣＰＵ４６１は、切替部４３を制御して、第１入力端子４１に切り替えさせる（ステップＳ４）。
【００５０】
次いで、ＣＰＵ４６１は、測位プログラム４６３ｃを実行して、第１入力端子４１により入力されたＧＰＳ信号に基づいて現在位置を測位し（ステップＳ５）、表示制御プログラム４６３ｄを実行して、当該測位された現在位置を表示部４４に表示させる（ステップＳ６）。
【００５１】
次いで、ＣＰＵ４６１は、ユーザによる操作部４５の操作によって、ナビゲーション装置１の電源をＯＦＦするよう指示されたか否かを判断する（ステップＳ７）。
【００５２】
ステップＳ７で、ナビゲーション装置１の電源をＯＦＦするよう指示されていないと判断すると（ステップＳ７；Ｎｏ）、ＣＰＵ４６１は、ステップＳ２以降の処理を繰り返して行う。
【００５３】
一方、ステップＳ７で、ナビゲーション装置１の電源をＯＦＦするよう指示されたと判断すると（ステップＳ７；Ｙｅｓ）、ＣＰＵ４６１は、本処理を終了する。
【００５４】
また、ステップＳ２で、出力端子２２と第２入力端子４２とが接触していると判断すると（ステップＳ２；Ｙｅｓ）、ＣＰＵ４６１は、第２入力端子４２に切り替わっているか否かを判断する（ステップＳ８）。
【００５５】
ステップＳ８で、第２入力端子４２に切り替わっていると判断すると（ステップＳ８；Ｙｅｓ）、ＣＰＵ４６１は、ステップＳ１０の処理に移行する。
【００５６】
一方、ステップＳ８で、第２入力端子４２に切り替わっていないと判断すると（ステップＳ８；Ｎｏ）、ＣＰＵ４６１は、切替部４３を制御して、第２入力端子４２に切り替えさせる（ステップＳ９）。
【００５７】
次いで、ＣＰＵ４６１は、測位プログラム４６３ｃを実行して、第２入力端子４２により入力されたＧＰＳ信号に基づいて現在位置を測位し（ステップＳ１０）、表示制御プログラム４６３ｄを実行して、当該測位された現在位置を表示部４４に表示させる（ステップＳ１１）、ステップＳ７の処理に移行する。
【００５８】
以上説明した本発明のナビゲーション装置１によれば、表示部４４が配置された装置本体部４と、装置本体部４に着脱自在に一体化され、ＧＰＳ衛星から送信されるＧＰＳ信号を受信するＧＰＳアンテナ部２と、を備え、ＧＰＳアンテナ部２は、ＧＰＳ信号を装置本体部４側に出力する出力端子２２を備え、装置本体部４は、出力端子２２とケーブルＣを介して接続し、出力端子２２により出力されたＧＰＳ信号が入力される第１入力端子４１と、第１入力端子４１により入力されたＧＰＳ信号に基づいて現在位置を測位する測位プログラム４６３ｃを実行したＣＰＵ４６１と、を備え、装置本体部４とＧＰＳアンテナ部２とが一体化される際に、ケーブルＣをナビゲーション装置１に収容する収容部４ｃを備えている。
したがって、１つのＧＰＳアンテナ２１がケーブルＣを介して装置本体部４と接続される携帯可能なナビゲーション装置１において、装置本体部４とＧＰＳアンテナ部２とを一体化する際に、すなわち、ナビゲーション装置１を携帯して使用する際に、装置本体部２とＧＰＳアンテナ部２とを連結するケーブルＣが邪魔にならないようにすることができる。
【００５９】
また、ナビゲーション装置１は、装置本体部４とＧＰＳアンテナ部２とが一体化される際に、ケーブルＣを収容部４ｃ内に巻き取る巻取部４ｅを備えている。
したがって、装置本体部４とＧＰＳアンテナ部２とを一体化する際、手動でケーブルＣを収容部４ｃに収容する必要がないため、使い勝手がよい。
【００６０】
また、装置本体部４は、装置本体部４とＧＰＳアンテナ部２とが一体化されている際に出力端子２２と接触し、出力端子２２により出力されたＧＰＳ信号が入力される第２入力端子４２と、出力端子２２と第２入力端子４２とが接触していない場合には、第１入力端子４１に切り替えるとともに、出力端子２２と第２入力端子４２とが接触している場合には、第２入力端子４２に切り替える切替部４３と、を備え、測位プログラム４６３ｃを実行したＣＰＵ４６１は、切替部４３により第１入力端子４１に切り替えられると、第１入力端子４１により入力されたＧＰＳ信号に基づいて現在位置を測位し、切替部４３により第２入力端子４２に切り替えられると、第２入力端子４２により入力されたＧＰＳ信号に基づいて現在位置を測位する。
したがって、装置本体部４とＧＰＳアンテナ部２とが一体化されている際には、ＧＰＳ信号がケーブルＣ及び第１入力端子４１を介してではなく、第２入力端子４２を介して直接装置本体部４側に入力されるため、ケーブルＣを使用することにより生じる、ＧＰＳ信号がＧＰＳアンテナ部２により出力されてから装置本体部４に入力されるまでの所要時間に基づく誤差を抑えることができることとなって、より正確な現在位置を測位することができる。
【００６１】
なお、本発明は、上記した実施の形態のものに限るものではなく、その要旨を逸脱しない範囲で適宜変更可能である。
【００６２】
電子機器は、ＧＰＳ信号に基づいて測位された現在位置を走行案内表示とともに表示するナビゲーション装置１の限りではなく、ＧＰＳ信号に基づいて測位された現在位置を表示することができる装置であれば任意である。
【００６３】
ケーブルＣを収容する収容部４ｃを装置本体部４側に設けるようにしたが、収容部４ｃは、ケーブルＣをナビゲーション装置１の内部に収容することができるのであれば、ＧＰＳアンテナ部２側に設けられていてもよい。
【００６４】
ケーブルＣを収容部４ｃ内に巻き取る巻取部４ｅを装置本体部４側に設けるようにしたが、巻取部４ｅは、ケーブルＣを収容部４ｃ内に巻き取ることができるのであれば、ＧＰＳアンテナ部２側に設けられていてもよい。また、巻取部４ｅは、ぜんまいばねやストッパなどから構成される限りではなく、ケーブルＣを収容部４ｃ内に巻き取ることができるのであれば、その構成は任意である。
【００６５】
装置本体部４は、必ずしも第２入力端子４２を備える必要はなく、少なくとも第１入力端子４１が備えられていればよい。また、装置本体部４に第２入力端子４１が備えられていない場合には、装置本体部４は、切替部４３を備える必要はない。
【図面の簡単な説明】
【００６６】
【図１】本発明にかかるナビゲーション装置において、装置本体部とＧＰＳアンテナ部２が一体になった状態の正面図（ａ）と、本発明にかかるナビゲーション装置において、装置本体部とＧＰＳアンテナ部とが別体になった状態の正面図（ｂ）と、である。
【図２】本発明にかかるナビゲーション装置の機能的構成を示す図である。
【図３】本発明にかかるナビゲーション装置による現在位置の測位に関する処理について説明するためのフローチャートである。
【符号の説明】
【００６７】
１  ナビゲーション装置（電子機器）
２  ＧＰＳアンテナ部
４  装置本体部
４ｃ  収容部
４ｅ  巻取部（巻取手段）
２２  出力端子
４１  第１入力端子（入力端子）
４２  第２入力端子
４４  表示部
４３  切替部
４６１  ＣＰＵ（測位手段）
４６３ｃ  測位プログラム（測位手段）
Ｃ  ケーブル
【図１】
2008224603.tif 000003
【図２】
2008224603.tif 000004
【図３】
2008224603.tif 000005